【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
セキュリティエレメント（１）であって、
前記セキュリティエレメント（１）の非折り曲げ状態において互いに垂直な座標軸ｘ、ｙ（３、４）を有する座標系に亘る第１体積ホログラム層（１１）を備え、
第１体積ホログラムは、少なくとも１つの第１エリア（５１）において、前記第１体積ホログラム層（１１）に組み込まれ、
前記セキュリティエレメント（１）の第１の所定折り曲げ状態における第１観察状況で、観察者（７）に、第１の情報（２１〜３０）が見えるように、前記セキュリティエレメント（１）の前記非折り曲げ状態における前記第１観察状況で、観察者（７）に、見えないように、又は、前記セキュリティエレメント（１）の第１の所定折り曲げ状態における第１観察状況で、観察者（７）に、第１の情報（２１〜３０）が見えないように、前記セキュリティエレメント（１）の前記非折り曲げ状態における前記第１観察状況で、観察者（７）に、見えるように、前記第１体積ホログラムは形成されている。
【請求項２】
請求項１に記載のセキュリティエレメント（１）であって、
前記セキュリティエレメント（１）の少なくとも１つの第２の所定折り曲げ状態における前記第１観察状況で、前記観察者（７）に、第２の情報（４０〜４３）が見えるように、前記セキュリティエレメント（１）の前記非折り曲げ状態における前記第１観察状況で、前記観察者（７）に、見えないように、又は、前記セキュリティエレメント（１）の少なくとも１つの第２の所定折り曲げ状態における前記第１観察状況で、前記観察者（７）に、第２の情報（４０〜４３）が見えないように、前記セキュリティエレメント（１）の前記非折り曲げ状態における前記第１観察状況で、前記観察者（７）に、見えるように、前記第１体積ホログラムは形成され、及び／又は、
前記第１及び/又は少なくとも１つの第２の所定折り曲げ状態において、前記セキュリティエレメント（１）は、ｘ軸及び/又はｙ軸に関して折り曲げられていることを特徴とする。
【請求項３】
請求項１又は２に記載のセキュリティエレメント（１）であって、
前記セキュリティエレメント（１）は、少なくとも１つの折り曲げ線（９）を有し、前記セキュリティエレメント（１）は、前記セキュリティエレメント（１）の前記第１及び/又は少なくとも１つの第２の所定折り曲げ状態において、前記折り曲げ線に関して折り曲げられ、      
特に、前記セキュリティエレメント（１）は、前記第１及び/又は少なくとも１つの第２の所定折り曲げ状態において、前記折り曲げ線（９）に関して、対称又は非対称に折り曲げられ、及び／又は、
前記セキュリティエレメント（１）を前記座標軸ｘ、ｙに亘る面に平行に観察した時、前記セキュリティエレメント（１）の表面と、前記座標軸ｘ又はｙ（３、４）との間の角度は、前記セキュリティエレメント（１）の前記第１及び/又は少なくとも１つの第２の所定折り曲げ状態において、前記折り曲げ線の両側で異なり、及び／又は、
前記セキュリティエレメント（１）を前記座標軸ｘ、ｙ（３、４）に亘る面に平行に観察した時、前記セキュリティエレメント（１）の表面と、前記座標軸ｘ又はｙ（３、４）との間の角度は、前記セキュリティエレメント（１）の前記非折り曲げ状態において、前記折り曲げ線（９）の両側で略同一であり、特に、５°未満、好ましくは２．５°未満、更に好ましくは１°未満異なることを特徴とする。
【請求項４】
請求項１〜３のいずれか１項に記載のセキュリティエレメント（１）であって、
ラプラス演算子Δが関数Ｆ（ｘ、ｙ）で示された前記セキュリティエレメント（１）の表面に適用されると、前記セキュリティエレメントの前記第１及び/又は少なくとも１つの第２の所定折り曲げ状態において、所定の制限値は超え、前記非折り曲げ状態において、所定の制限値は超えない、前記関数Ｆ（ｘ、ｙ）は、前記セキュリティエレメント（１）の前記表面から前記座標軸ｘ、ｙ（３、４）に亘る２次元基準面までの距離を示し、及び／又は、
前記セキュリティエレメント（１）の前記第１及び/又は少なくとも１つの第２の所定折り曲げ状態における折り曲げ半径（ｒ）は、１ｍｍ〜１００ｍｍ、好ましくは２ｍｍ〜５０ｍｍ、更に好ましくは４ｍｍ〜３０ｍｍであることを特徴とする。
【請求項５】
請求項１〜４のいずれか１項に記載のセキュリティエレメント（１）であって、
前記少なくとも１つの第１エリア（５１）において、前記第１体積ホログラムは、２つ以上の第１ゾーン（１０ａ〜ｊ）を有し、前記セキュリティエレメント（１）の前記第１の所定折り曲げ状態において、前記２つ以上の第１ゾーン（１０ａ〜ｊ）は、前記第１観察状況で、前記観察者に、前記第１の情報（２１〜３０）を提供することを特徴とする。
【請求項６】
請求項２〜５のいずれか１項に記載のセキュリティエレメント（１）であって、
前記少なくとも１つの第１エリア（５１）において、前記第１体積ホログラムは、２つ以上の第２ゾーン（１０ｋ）を有し、前記セキュリティエレメントの前記少なくとも１つの第２の所定折り曲げ状態において、前記２つ以上の第２ゾーン（１０ｋ）は、前記第１観察状況で、前記観察者に、前記少なくとも１つの第２の情報（４０〜４３）を提供することを特徴とする。
【請求項７】
請求項５又は６に記載のセキュリティエレメント（１）であって、
前記２つ以上の第１ゾーン（１０ａ〜ｊ）及び/又は前記２つ以上の第２ゾーン（１０ｋ）は、前記セキュリティエレメント（１）の非折り曲げ状態において、前記座標軸ｘ及び/又はｙ（３、４）の１つの方向へ長さを有し、前記長さは、少なくとも５μｍ、好ましくは５０μｍ、更に好ましくは５００μｍであり、又は、
前記２つ以上の第１ゾーン（１０ａ〜ｊ）及び/又は前記２つ以上の第２ゾーン（１０ｋ）は、前記セキュリティエレメント（１）の前記非折り曲げ状態において面積範囲を有し、前記面積範囲は、少なくとも５μｍ×５μｍ、好ましくは５０μｍ×５０μｍ、更に好ましくは５００μｍ×５００μｍであることを特徴とする。
【請求項８】
請求項５〜７のいずれか１項に記載のセキュリティエレメント（１）であって、
前記セキュリティエレメント（１）の前記第１の所定折り曲げ状態において、前記２つ以上の第１ゾーン（１０ａ〜ｊ）、及び/又は、前記セキュリティエレメント（１）の前記少なくとも１つの第２の所定折り曲げ状態において、前記２つ以上の第２ゾーン（１０ｋ）が、前記第１観察状態で、前記観察者（７）に、異なる照明角度及び観察角度で見えることを特徴とする。
【請求項９】
請求項１〜８のいずれか１項に記載のセキュリティエレメント（１）であって、
前記第１体積ホログラム層（１１）は、屈折率の変化により形成されたブラッグ面（１２）を有することを特徴とする。
【請求項１０】
請求項９と、請求項５〜８のいずれか１項とに記載のセキュリティエレメント（１）であって、
パラメータの少なくとも１つは、前記２つ以上の第１ゾーン（１０ａ〜ｊ）及び/又は
前記２つ以上の第２ゾーン（１０ｋ）で異なり、前記パラメータは、前記ブラッグ面（１２）の間の距離と、前記ブラッグ面（１２）の配列とであり、
特に、前記ブラッグ面（１２）の間の前記距離は、５ｎｍより大きく、好ましくは１０ｎｍより大きく、更に好ましくは２０ｎｍより大きく異なり、及び/又は、前記ブラッグ面（１２）と、前記第１体積ホログラム層（１１）との角度は、２°より大きく、好ましくは５°より大きく、より好ましくは１０°より大きく、更に好ましくは２０°より大きく異なることを特徴とする。
【請求項１１】
請求項９又は１０と、請求項５〜８のいずれか１項とに記載のセキュリティエレメント（１）であって、
前記２つ以上の第１ゾーン（１０ａ〜ｊ）における前記ブラッグ面（１２）の配列は、前記セキュリティエレメント（１）の前記第１の所定折り曲げ状態において、互いに、略同一であり、及び／又は、
前記２つ以上の第２ゾーン（１０ｋ）における前記ブラッグ面（１２）の配列は、前記セキュリティエレメント（１）の前記第２の所定折り曲げ状態において、互いに、略同一であることを特徴とする。
【請求項１２】
請求項１〜１１のいずれか１項に記載のセキュリティエレメント（１）であって、
第２体積ホログラムは、少なくとも１つの第２エリアにおいて、前記第１体積ホログラム層（１１）に組み込まれ、
特に、前記セキュリティエレメント（１）の前記非折り曲げ状態における前記第１観察状況で第３の情報が見えるように、前記第２体積ホログラムが形成され、及び／又は、
前記少なくとも１つの第１エリア（５１）と、前記少なくとも１つの第２エリアは、互いに、グリッド状であり、特に、前記少なくとも１つの第１エリア（５１）は、前記少なくとも１つの第２エリアと交互に配置されており、前記少なくとも１つの第１エリア（５１）は、前記少なくとも１つの第２エリアに隣接して配置されていることを特徴とする。
【請求項１３】
請求項１〜１２のいずれか１項に記載のセキュリティエレメント（１）であって、
前記セキュリティエレメント（１）は、第２体積ホログラム層において、第３体積ホログラムを有し、
特に、前記セキュリティエレメント（１）の前記非折り曲げ状態において、前記セキュリティエレメント（１）の前記第１体積ホログラム層（１１）が広がる面に垂直に観察した時、前記第１体積ホログラム層（１１）及び前記第２体積ホログラム層は、上下に配置され、及び／又は、
前記セキュリティエレメントの第３の所定折り曲げ状態における前記第１観察状況で、観察者（７）に、第４の情報が見えるように、前記セキュリティエレメント（１）の前記非折り曲げ状態における前記第１観察状態で、観察者（７）に、見えないように、又は、前記セキュリティエレメントの第３の所定折り曲げ状態における前記第１観察状況で、観察者（７）に、第４の情報が見えないように、前記セキュリティエレメント（１）の前記非折り曲げ状態における前記第１観察状態で、観察者（７）に、見えるように、前記第３体積ホログラムは形成されていることを特徴とする。  
【請求項１４】
請求項１〜１３のいずれか１項に記載のセキュリティエレメント（１）であって、
前記セキュリティエレメントは、少なくとも１つの第３エリア（５２）において、レリーフ構造を備え、前記レリーフ構造は、回折格子、キネグラム（登録商標）又はホログラム、ブレーズド格子、バイナリ格子、マルチレベル位相格子、線状格子、交差格子、六角形格子、非対称又は対称格子構造、再帰反射構造、特に、バイナリ又は連続自由曲面、回折又は反射マイクロ構造、特に、レンズ構造又はマイクロプリズム構造、マイクロレンズ、マイクロプリズム、０次回折構造、モスアイ構造、等方性又は異方性マット構造、及び、これらのレリーフ構造の２つ以上の重ね合わせ又は組み合わせによる構造からなる群から選択されることを特徴する。
【請求項１５】
請求項１〜１４のいずれか１項に記載のセキュリティエレメント（１）であって、
前記セキュリティエレメントは、少なくとも１つの第４エリアにおいて、少なくとも１つの反射層（１７ｒ、１７ｒ’、１７ｒ１、１７ｒ２）を有することを特徴とする。
【請求項１６】
請求項１５に記載のセキュリティエレメント（１）であって、  
前記反射層又は少なくとも１つの反射層（１７ｒ、１７ｒ’、１７ｒ１、１７ｒ２）は、グリッド状に形成され、
特に、前記第１体積ホログラム（１１ｖ）は、グリッド状に形成されており、前記第１体積ホログラム（１１ｖ）の前記エリアは、前記反射層（１７ｒ）のエリアにレジスタ配置されており、前記第１体積ホログラム（１１ｖ）は、前記反射層（１７ｒ）の下で、特に、前記セキュリティエレメントの前記観察方向へ配置されていることが好ましく、又は、
前記セキュリティエレメント（１）は、グリッド状の２つの部分的に金属化された反射層（１７ｒ１、１７ｒ２）を有することが好ましく、前記セキュリティエレメント（１）の前記非折り曲げ状態において、前記第１体積ホログラム層（１１）が広がる面に垂直に観察した時、これらの反射層（１７ｒ１、１７ｒ２）は、一方の反射層の存在しない、好ましくは透明エリアが、現在のエリア、特に、金属化エリアにより覆われ、他方の反射層の存在しない、好ましくは、透明エリアが、金属化エリアにより覆われるように、互いに配置されていることを特徴とする。
【請求項１７】
請求項１５又は１６に記載のセキュリティエレメント（１）であって、
透明間隔層（１７ｌ２、１７ｌ３）は、前記体積ホログラム層（１１）と、反射層（１７ｒ、１７ｒ’）との間、及び/又は、前記反射層（１７ｒ２、１７ｒ３）の間に配置され、
特に、前記間隔層（１７ｌ２、１７ｌ３）の厚さは変化することを特徴とする。
【請求項１８】
請求項１５〜１７のいずれか１項に記載のセキュリティエレメントであって、
前記反射層（１７ｒ’）は、側面形状に形成されていることを特徴とする。
【請求項１９】
特に、請求項１〜１８のいずれか１項に記載の第１体積ホログラム層（１１）を有するセキュリティエレメント（１）の製造方法であって、
前記製造方法は、
ａ）前記第１体積ホログラム層（１１）を設けるステップと、
ｂ）第１表面構造を有する第１マスタ（１８）を、前記第１体積ホログラム層（１１）に配置するステップと、
ｃ）コヒーレント光（１９）により、前記第１マスタ（１８）と前記第１体積ホログラム層（１１）とを露光するステップと、
前記セキュリティエレメント（１）の第１の所定折り曲げ状態における第１観察状況で、観察者（７）に、第１の情報（２１〜３０）が見えるように、前記セキュリティエレメント（１）の前記非折り曲げ状態における前記第１観察状態で、観察者（７）に、前記第１の情報が見えないように、又は、前記セキュリティエレメント（１）の第１の所定折り曲げ状態における第１観察状況で、観察者（７）に、第１の情報（２１〜３０）が見えないように、前記セキュリティエレメント（１）の前記非折り曲げ状態における前記第１観察状態で、観察者（７）に、前記第１の情報が見えるように、この方法により、前記第１体積ホログラム層（１１）に組み込まれた前記第１体積ホログラムは、形成されていることを特徴とする。
【請求項２０】
請求項１９に記載の方法であって、
前記セキュリティエレメント（１）の少なくとも１つの第２の所定折り曲げ状態における前記第１観察状態で、前記観察者（７）に、少なくとも１つの第２の情報（４０〜４３）が見えるように、前記セキュリティエレメント（１）の前記非折り曲げ状態における前記第１観察状況で、前記観察者（７）に、前記少なくとも１つの第２の情報（４０〜４３）が見えないように、また、前記セキュリティエレメント（１）の少なくとも１つの第２の所定折り曲げ状態における前記第１観察状態で、前記観察者（７）に、少なくとも１つの第２の情報（４０〜４３）が見えないように、前記セキュリティエレメント（１）の前記非折り曲げ状態における前記第１観察状況で、前記観察者（７）に、前記少なくとも１つの第２の情報（４０〜４３）が見えるように、前記ステップｃ）において組み込まれた前記第１体積ホログラムは、形成されていることを特徴とする。
【請求項２１】
請求項１９又は２０に記載の方法であって、
前記ステップｂ）において、第１マスタ（１８）が使用され、前記第１マスタは、折り曲げられた中間マスタから生成され、前記折り曲げられた中間マスタの前記折り曲げは、前記セキュリティエレメント（１）の前記第１及び/又は前記少なくとも１つの第２の所定折り曲げ状態の前記折り曲げに対応し、又は、
前記ステップｂ）において、第１マスタ（１８）が使用され、前記第１マスタは、歪み光学系、特に、シリンドリカルレンズにより製造されることを特徴とする。
【請求項２２】
請求項１９〜２１のいずれか１項に記載の方法であって、
前記ステップｂ）において、第１マスタ（１８）が使用され、その第１表面構造は、キネグラム（登録商標）、対称格子、非対称格子、特に、ブレーズド格子、バイナリ格子、マルチレベル位相格子、等方性若しくは異方性マット構造、再帰反射構造、（実質的な）反射効果を有するマイクロ構造、特に、マイクロプリズム構造若しくはマイクロミラー、フレネル状自由曲面、又は、それらの組み合わせを備えることを特徴とする。
【請求項２３】
請求項１〜１８のいずれか１項に記載のセキュリティエレメント（１）を有し、
特に、前記セキュリティドキュメント（２）は、身分証明書、パスポート、ビザ、クレジットカード、紙幣、証券等として形成されているセキュリティドキュメント（２）。
【手続補正２】
【補正対象書類名】明細書
【補正対象項目名】００２８
【補正方法】変更
【補正の内容】
【００２８】
更に、セキュリティエレメントの第１及び／又は少なくとも１つの第２の所定折り曲げ状態における折り曲げ半径は、少なくとも２ｍｍ、好ましくは５ｍｍ、更に好ましくは１０ｍｍ異なることが有益である。
【手続補正３】
【補正対象書類名】明細書
【補正対象項目名】０１３３
【補正方法】変更
【補正の内容】
【０１３３】
セキュリティエレメント１の非折り曲げ状態において、図７に示すゾーン１０ａ、１０ｂ、１０ｃは、座標軸ｙ及び座標軸ｘの一方の方向へ２００μｍの長さを有する。セキュリティエレメント１の非折り曲げ状態において、ゾーン１０ａ、１０ｂ、１０ｃは、座標軸ｘ及び/又はｙの方向へ少なくとも１０μｍ、好ましくは５００μｍ、更に好ましくは２０００μｍの長さを有する。特に、ゾーン１０ａ、１０ｂ、１０ｃを、実質的に連続的に分布させることもでき、不連続的に分布させることはない。
【手続補正４】
【補正対象書類名】明細書
【補正対象項目名】０１７２
【補正方法】変更
【補正の内容】
【０１７２】
図１４に示すように、セキュリティエレメント１が所定の折り曲げ状態になると、情報３０ｕを補う情報３０が観察者に現れ、エリア５２の周りに完全なフレームを形成する。
【手続補正５】
【補正対象書類名】明細書
【補正対象項目名】０１７４
【補正方法】変更
【補正の内容】
【０１７４】
図１５ａ〜図１５ｃは、セキュリティエレメント１を有するセキュリティドキュメント２の折り曲げを概略的に示す。図１５ａに示すように、セキュリティエレメント１は、接着層１５により基板１７に塗布されている。基板１７を紙材からなる基板１７とすることが好ましい。基板１７には、印刷が施されており、別のセキュリティ特徴、例えば、すかし又はセキュリティスレッドが組み込まれている。更に、セキュリティエレメント１は、体積ホログラムが組み込まれる体積ホログラム層１１を有する。体積ホログラムは、ゾーン１０ｊ及び１０ｋを有する。ゾーン１０ｊは、図１５ｂに示すセキュリティエレメント１の所定の折り曲げ状態において、観察者７に、第１の情報を提供する。ゾーン１０ｋは、図１５ｃに示すセキュリティエレメント１の所定の折り曲げ状態において、観察者７に、第２の情報を提供する。観察者７は、いずれの場合も同じ観察状況でセキュリティエレメント１を見る。セキュリティエレメントの折り曲げは、図１５ｂ及び図１５ｃに示すようにのみ異なる。図１５ａに示すセキュリティエレメント１の非折り曲げ状態において、観察者は情報を認識しない。セキュリティエレメント１が図１５ｂに示す第１の折り曲げ状態に折り曲げられると、観察者７は、ゾーン１０ｊにより作製された第１の情報を認識する。第１の情報を、例えば、つぼみのモチーフとすることができる。上記した通り、第１の所定折り曲げ状態において、観察者に、第１の情報が見えるように、ゾーン１０ｊにおけるブラッグ面は配列されている。図１５ｃに示すように、セキュリティエレメント１が更に折り曲げられると、観察者に、第１の情報は消えるが、観察者７は、ゾーン１０ｋにより作製された第２の情報を認識することができる。第２の情報を、例えば、開いた花とすることができる。上記した通り、第２の所定折り曲げ状態において、観察者に、第２の情報が見えるように、ゾーン１０ｋにおけるブラッグ面は配列されている。セキュリティエレメント１の第１及び第２の所定折り曲げ状態における折り曲げ半径は、少なくとも２ｍｍ、好ましくは５ｍｍ、更に好ましくは１０ｍｍ異なることが好ましい。
【手続補正６】
【補正対象書類名】明細書
【補正対象項目名】０１８３
【補正方法】変更
【補正の内容】
【０１８３】
セキュリティエレメント１の所定の折り曲げ状態において、体積ホログラム１１ｖの視認性が最大限に発揮されるように、反射層１７ｒ及び/又は体積ホログラム１１ｖのグリッドの線幅及び線間隔、並びに、透明間隔層１７ｌ２の厚さは、選択される。図１６ａ、１６ｂに示すように、ライングリッドの線は、セキュリティエレメント１の折り曲げ線に対して、平行、又は、略平行であることが好ましい。
【手続補正７】
【補正対象書類名】明細書
【補正対象項目名】０２０２
【補正方法】変更
【補正の内容】
【０２０２】
図２８ａ〜２８ｄは、図２７に示すセキュリティエレメント１の製造方法を示す。第１に、ルーバー形状又はカップ形状構造６２が複製される。その構造をニス層（図２８ａ）とすることができる。ルーバー６０又はカップ端の高さＨを、１μｍ〜５０μｍ、好ましくは２μｍ〜２０μｍ、特に好ましくは２μｍ〜１０μｍとすることができる。ルーバー６０又はカップ端の間の距離ｄを、１０×Ｈより小さく、好ましくは５×Ｈより小さく、より好ましくは２×Ｈより小さくすることが好ましい。そして、複製構造６２が全面に蒸着する。複製構造６２は、例えば、２０ｎｍ〜３０ｎｍの厚さを有し、アルミニウムからなる反射層、好ましくは薄い金属層６４を有する（図２８ｂ）。そして、非金属化ステップでは、エリアにおいて、反射層及び/又は金属層が再び除去される。金属は、ルーバー６０又は「マイクロカップ」の壁の間の凹み、すなわち、構造の「底面」からのみ実質的に除去される。側面形状に実質的に形成されたエレメント６６が残る（図２８ｃ）。非金属化ステップを全ての周知の非金属化プロセスにより原則として行うことができる。
【手続補正８】
【補正対象書類名】明細書
【補正対象項目名】０２０３
【補正方法】変更
【補正の内容】
【０２０３】
側面形状に形成された反射層１７ｒ’の形成後、別のニス層を反射層１７’に塗布することができる。そして、単一プライ反射層１７ｒ’を、体積ホログラム層１１と組み合わせることができ、紙幣等の柔軟な基板１７に塗布することができる（図２８ｄ）。層６８を、反射層１７ｒ’と、体積ホログラム１１ｖとの間に配置することができる。この層６８を、接着層及び/又は接着促進層とすることができる。しかしながら、層６８を省略することもできる。